(57)【要約】      （修正有）【課題】内容物が残った重い廃棄ペットボトル、土に埋もれたビニール袋等のごみを拾い易いごみ拾い器具を提供する。【解決手段】上部を連結した左右一対の棒竿２を略Ｖ字形に配設したごみ拾い器具において、片方の棒竿の先端部３より上部でガイド棒４を棒竿内側に直角に取り付け固定し、他方の棒竿の対応する場所に穴５を穿ち、該ガイド棒をこの穴に通し、両方の棒竿の開閉をガイドする。ガイド棒の先端は穴よりも大きくし開く角度を制限する。このガイド棒により両棒竿がねじれ、食い違うこと無く、内容物が残った重い廃棄ペットボトル等を拾うことができる。さらに棒竿先端部にピン６を棒竿外側に直角に取り付け固定し、このピンで土砂に埋まったビニール袋等ごみを引っ掛けて拾うことができる。【選択図】図２
0003234541.tif 000002
【実用新案登録請求の範囲】
【請求項１】
上部を連結した左右一対の棒竿を略V字形に配設したごみ拾い器具において、前記片方の棒竿の先端部より上部でガイド棒を棒竿内側に直角に取り付け固定し、他方の棒竿の対応する場所に穴を穿ち、該ガイド棒をこの穴に通し、両方の棒竿の開閉をガイドする、該ガイド棒の先端は前記穴よりも大きくし開く角度を制限したことを特徴とするごみ拾い器具
【請求項２】
上部を連結した左右一対の棒竿を略V字形に配設したごみ拾い器具において、前記左右一対の棒竿の少なくとも一方あるいは両方の棒竿先端部寄り外側にピンを棒竿に直角に取り付け固定したことを特徴とする請求項1記載のごみ拾い器具
【考案の詳細な説明】
【技術分野】
【０００１】
本考案は、道路、歩道、公園、河川、海岸等でごみを拾う器具に関する。
【背景技術】
【０００２】
大量生産、大量消費、大量廃棄型の社会が続き、自然環境破壊や環境汚染特に海洋汚染が問題となっている。プラスチックは軽量で丈夫、加工し易いことから様々な製品や容器包装などに利用され、分解されにくい特徴から、不法投棄やポイ捨てなどにより自然界に流出してしまうと、河川等を通じて海に流され、海洋汚染となる。道路、歩道、公園、河川、海岸等でビン、缶、ペットボトル、タバコ、紙くず、ビニール袋等のごみを廉価で、軽く、操作が簡単であり、容易に使えるごみ拾い器具が必要である。
【０００３】
従来から左右一対の棒竿を略V字形に配設すると共に、前記一対の棒竿の上部円弧部を介して連結したごみ拾い器具がある。そして従来のごみ拾い器具では、棒竿を片手で持ち該棒竿の先端で空き缶等のごみを挟み拾い上げるものである。従来、この棒竿は腰が弱くねじれ易い欠点があり、特に重い内容物が残ったペットボトル等では挟む時にねじれ両方の棒竿が食い違い挟めないことがあった。また、土砂に埋もれた又は水中のビニール袋等は従来の器具では拾い難い欠点があつた。
【０００４】
先行技術として、熊手付きゴミはさみが考案されている。すなわちゴミ等を挟むはさみ部平面を熊手状にし、ゴミ等を掴む・抱える・挟む作業を一つの用具で行えるように考案している。しかし、内容物が残ったペットボトル等の重い円柱状のごみでは、はさみの棒竿の胴部分が変形しねじれ、両方の棒竿が食い違い挟めない問題点がある(特許文献1)。
【０００５】
また、棒竿の長い、掴む部分の先端付近に滑り止め材を付けたごみ掴みが発明されている(特許文献２)。この場合も内容物が残ったペットボトル等の重い円柱状のごみでは、はさみの棒竿の胴部分が変形しねじれ、両方の棒竿が食い違い挟めない問題点がある。また土砂に埋もれたビニール袋等は拾うのは困難である。
【０００６】
そして、ごみバサミ内側に弾力、伸縮クツション性の有る、部材を設けた空き缶ごみバサミが発明されている(特許文献3)。この場合も内容物が残ったペットボトル等の重い円柱状のごみでは、はさみの棒竿の胴部分が変形しねじれ、両方の棒竿が食い違い挟めない問題点がある。また土砂に埋もれたビニール袋等は拾うのは困難である。
【０００７】
また、上部を連結した左右一対の棒竿を略V字形に配設したごみ掴み具において、前記左右一対の棒竿の少なくとも一方の棒竿先端寄りに、外側に湾曲する缶挟み部を形成したごみ掴み具が考案されている(特許文献４)。この場合も内容物が残ったペットボトル等の重い円柱状のごみでは、はさみの棒竿の胴部分が変形しねじれ、両方の棒竿が食い違い挟めない問題点がある。また土砂に埋もれたビニール袋等は拾うのは困難である。
【先行技術文献】
【特許文献】
【０００８】
【特許文献１】実登３２１１１８６
【特許文献２】特開２００５―1４４０9７
【特許文献３】特開２００５―２６1９０３
【特許文献４】実開平０７―０２７４５３
【考案の概要】
【考案が解決しようとする課題】
【０００９】
道路、歩道、公園、河川、海岸等でビン、缶、ペットボトル、タバコ、紙くず、ビニール袋等のごみを楽に一つの道具で拾う器具が求められる。
特許文献1の方法は、内容物が残ったペットボトル、泥の詰まった空き缶等の重い円柱状のごみでは、はさみの棒竿の胴部分が変形しねじれ、両方の棒竿が食い違い挟めない問題点がある。特許文献２の場合は、この場合も内容物が残ったペットボトル等のごみでは、はさみの棒竿の胴部分が変形しねじれ、両方の棒竿が食い違い挟めない問題点がある。また土砂に埋もれた又は水中のビニール袋等は拾うのは困難である。特許文献3、４ても、内容物が残ったペットボトル等のごみでは、はさみの棒竿の胴部分が変形しねじれ、両方の棒竿が食い違い挟めない問題点がある。また土砂に埋もれたビニール袋等は拾うのは困難である。
【００１０】
本考案は従来から問題であった点を解決するためになされたものである。すなわち、内容物が残ったペットボトル、泥が詰まった空き缶等の重い円柱状のごみでは、はさみの棒竿の胴部分が変形しねじれ、両方の棒竿が食い違い挟めない問題点がある。また土砂に埋もれた又は水中のビニール袋等は拾うのは困難である。
【課題を解決するための手段】
【００１１】
上記課題を解決し、目的を達するために鋭意工夫し以下のごみ拾い器具を考案した。
上部を連結した左右一対の棒竿を略V字形に配設したごみ拾い具において、前記片方の棒竿の先端部より上部でガイド棒を棒竿内側に直角に取り付け固定し、他方の棒竿の対応する場所に穴を穿ち、該ガイド棒をこの穴に通し、両方の棒竿の開閉をガイドする、該ガイド棒の先端は前記穴よりも大きくし開く角度を制限することを特徴とするごみ拾い器具である。
ガイド棒は両棒竿の開閉をスムーズにできるように誘導する働きをする。このガイド棒によって、重い内容物が残ったペットボトル等を掴む時も、棒竿がねじれることなく、容易に廃棄ペットボトル等を拾うことができる。ガイド棒の棒竿内側への固定は溶接、ボルトとナットのねじ止め等で行う。
【００１２】
そして、上部を連結した左右一対の棒竿を略V字形に配設したごみ拾い器具において、前記左右一対の棒竿の少なくとも一方あるいは両方の棒竿先端部寄り外側にピンを棒竿に直角に取り付け固定したことを特徴とする前記のごみ拾い器具である。
該ピンはシート状の物を引っ掛けるのに役立つ。また該ピンは土砂に突き刺し、前後に動かして、土砂中のごみを探し出すことにも役立つ。このピンを用いれば、土砂に埋もれたビニール袋、水中に沈んだビニール袋等を引っ掛けて容易に拾うことができる。
ピンの棒竿先端部外側への固定は溶接、ボルトとナットのねじ止め等で行う。
【００１３】
本ごみ拾い器具の材質は、錆ないステンレス、丈夫なスチール(鋼)等の金属製、合成樹脂、繊維強化プラスチック(FRP)製等がある。
左右一対の棒竿を略V字形に連結した上部の頭部分は弾性があり、ごみを挟み拾い、ごみ袋に入れた後は両方の棒竿部が開いた状態に戻る。
棒竿部分は内側に凹んだ形状がねじれに強くて良い。
そして、ごみを挟む棒竿の先端部分の内側は滑り難いギザギザ構造をしている方が良い。
【００１４】
重い内容物が残ったペットボトル等を掴む時は、ガイド棒により棒竿がねじれることなくペットボトルを挟み、容易に廃棄ペットボトル等を拾うことができる。そしてガイド棒はネジ止めして固定してある場合は、外して使用しない場合は嵩張らず持ち運びそして保管できる。また、ガイド棒は該穴より大きな頭部分直径のビスを使用し、ガイド棒であるビスを一方の棒竿の該穴に通し、他方の棒竿の対応するネジ穴に固定すると、両棒竿の開角度を制限し開きすぎないようにすることができる。
【００１５】
左右一対の棒竿の少なくとも一方あるいは両方の棒竿先端部寄り外側にピンを棒竿に直角に取り付け固定したことを特徴とする前記のごみ拾い器具においては、このピンを用いれば、土砂に埋もれたビニール袋、水中に沈んだビニール袋等を引っ掛けて容易に拾うことができる。また該ピンは土砂に突き刺し、前後に動かして、土砂中のごみを探し出すことにも役立つ。このピンもねじ止めとすれば、取り外し可能であり、持ち運ぶ時、保管時にはコンパクトにできる。
【００１６】
また両棒竿の先端部の内側は滑らないギザギザ構造になっているので、道路、歩道、公園、河川、海岸等でビン、缶、ペットボトル、タバコ、紙くず、ビニール袋等のごみは本器具を用いて容易に拾うことができる。
【考案の効果】
【００１７】
本考案のごみ拾い器具を用いれば、道路、歩道、公園、河川、海岸等でビン、缶、ペットボトル、タバコ、紙くず、ビニール袋等のごみは容易に拾うことができる。
特に、重い内容物が残ったペットボトル、泥の入った空き缶等を掴む時は、ガイド棒により棒竿がねじれることなくペットボトル、空き缶を挟み、容易に廃棄ペットボトル、空き缶等を拾うことができる。
また、棒竿先端部寄り外側にピンを棒竿に直角に取り付け固定したことを特徴とする前記のごみ拾い器具においては、このピンを用いれば、土砂に埋もれたビニール袋、水中に沈んだビニール袋等を引っ掛けて容易に拾うことができる。
【図面の簡単な説明】
【００１８】
【図１】ガイド棒を棒竿に取り付けたごみ拾い器具の概略斜視図である。
【図２】ピンを棒竿先端部の外側に取り付けたごみ拾い器具の概略斜視図である。
【図３】本考案のごみ拾い器具の内容物の残ったペットボトルを拾う使用状態を示す概略斜視図である。
【考案を実施するための形態】
【００１９】
本考案の実施例を以下に示す。本考案はこれらの実施例に限定されるものではない。
【実施例１】
【００２０】
図1は、本考案器具の1実施例のガイド棒を取り付けたごみ拾い器具の概略斜視図である。
上部の連結部1より左右一対の棒竿２を略V字形に配設したごみ拾い器具において、前記片方の棒竿２の先端部３より上部でガイド棒４を棒竿２内側に直角に取り付け固定し、他方の棒竿２の対応する場所に穴５を穿ち、該ガイド棒４をこの穴５に通し、両方の棒竿２の開閉をガイドする、該ガイド棒の先端は前記穴５よりも大きくし開く角度を制限したことを特徴とするごみ拾い器具である。
道路、歩道、公園、河川、海岸等のビン、缶、ペットボトル、タバコ、紙くず、ビニール袋等のごみを拾うには左右一対の棒竿２を片手で持ちそして前記のごみを棒竿２の先端部３のギザギザ部分で挟み拾いあげる。この後に前記棒竿２の挟む力を弱めると、棒竿２がやや開き、ごみをごみ袋に簡単に投入することができる。
また、本考案の器具はバーベキュー用のトングとしても使用でき、トウモロコシ、肉の塊もねじれずに容易に掴むことができる。
【実施例２】
【００２１】
図２は、本考案器具のもう一つの実施例で、ピン６を棒竿先端部３の外側に取り付けたごみ拾い器具の概略斜視図である。
上部の連結部1より左右一対の棒竿２を略V字形に配設したごみ拾い器具において、前記左右一対の棒竿２の少なくとも一方の棒竿先端部３寄り外側にピン６を棒竿２に直角に取り付け固定したことを特徴とするごみ拾い器具である。
このピン６を用いれば、土砂に埋もれたビニール袋、水中に沈んだビニール袋等を引っ掛けて容易に拾うことができる。
【実施例３】
【００２２】
図3は、内容物の残ったペットボトル７を拾う使用状態を示すごみ拾い器具の概略斜視図である。
ガイド棒４により、内容物の残ったペットボトル７も棒竿２がよじれることなく容易に拾える。
【００２３】
以上、連結部１、棒竿２、棒竿の先端部3、ガイド棒４、ガイド棒を通す穴５、ピン６を備える器具であるが、各部に少しずつ改良を加えて使い易くすることができる。
【産業上の利用可能性】
【００２４】
上述したように、この考案に係るごみ拾い器具は廉価で、軽く、操作が簡単であり、容易に道路、歩道、公園、河川、海岸等でビン、缶、ペットボトル、タバコ、紙くず、ビニール袋等のごみを拾うことができる。
【符号の説明】
【００２５】
１  連結部
２  棒竿
３  棒竿の先端部
４  ガイド棒
５  ガイド棒を通す穴
６  ピン
７  内容物の残ったペットボトル
【図１】
0003234541.tif 000003
【図２】
0003234541.tif 000004
【図３】
0003234541.tif 000005